(57)【要約】【課題】利用者がインターネットを介して会員登録をする際に、卒業証明書等の出身校を証明するデータを提出させ、電子プログラム上で同窓生を一つのグループとして扱うことで、イベントを同窓生グループの単位で管理するシステムを提供する。【解決手段】利用者が使用する端末1と、前記端末が接続されるインターネット２と、前記インターネットに接続するサーバマシン３と、会員の出身校を証明する卒業証明書等の画像データを含む会員情報データーベース４と、イベント情報を格納するイベントデータベース５と、会員の予約情報を格納する予約データーベース６と、これらデータベースから情報を取得し、前記端末に情報を表示するWebサイト表示部７とを有することを特徴とする。【選択図】図１
2011070379.tif 000002
【特許請求の範囲】
【請求項１】
会員の出身校を証明する卒業証明書等の画像データを含む会員情報データーベースと、イベント情報を格納するイベントデータベースと、会員の予約情報を格納する予約データーベースと、これらデータベースから情報を取得し、会員の端末に情報を表示するWebサイト表示部とを具備することを特徴とする同窓生を主体としたイベント開催システム。
【請求項２】
前記会員情報データーベースに会員固有のIDを格納し、非会員がWebサイト上で会員登録をする際に、既存会員の前記IDを入力することで、紹介者と登録者の双方にクーポンやお得な情報が配布される友人招待プログラムを備えた、前記同窓生を主体としたイベント開催システム。
【発明の詳細な説明】
【技術分野】
【０００１】
本発明は、インターネットを利用して会員を募り、同窓生を主体とするイベントやパーティーを会員制サービスとして提供する方法およびシステムに関するものである。
【背景技術】
【０００２】
近年、インターネットを利用して交際相手を募集したり探したりするサービスが増えており、利用者も増加している。また、インターネットで集客し、リアルの場でお見合いパーティーを実施するサービスも存在している。これらのサービスは出会い系サービスと総称される。
【０００３】
しかしながら、これら従来の出会い系サービスにはいくつかの欠点があった。一つは、しばしば男性に比べて女性の参加数が少ないため、男性から女性への申し込み数が過剰に多くなり、実際にはほとんど出会えないことである。二つ目は、インターネットを介しているとはいえ、全く素性のわからない男性とやり取りをすることに対して、女性が持つ心理的な抵抗感である。この心理的な抵抗感があるがために、男性に比べて女性の参加数が少ないなどの問題が生じている。三つ目は、インターネットの出会い系サービスで知り合い、いざ連絡のやり取りを始めるも、お互いの育った環境が全く異なっていたり、学歴などに大きく差があるせいで、十分に連絡のやり取りを重ねた後で初めて、話や考え方が合わないことが分かり、それまで連絡を取り合った時間と労力が全く無駄になるなどの問題点である。
【０００４】
ところで、インターネットを利用した会員制サービスにおいて、会員数の増加を促進させる手段として、mixiの事例に見られるように、友達招待システムがある。友達招待システムとは、既に会員である者が、メール等を利用して、そのサービスに友達を招待するシステムである。この招待のプロセスが連鎖することで、会員数の増加が大いに促進される。
【０００５】
しかし、従来の友達招待システムはメールを利用しており、一回の招待プロセスで一人しか招待できないこと、また、メールアドレスを知っている友人しか招待できないことの欠点があった。
【発明の概要】
【発明が解決しようとする課題】
【０００６】
上述のように、従来の出会い系サービスには次の欠点があった。参加者の素性がはっきりしないために女性が心理的な抵抗を抱きやすいこと、そのために女性の参加率が悪くなっていること、また、お互いに全く異なる属性（学歴や育った環境など）であることが後々まで判明しづらいことである。
【０００７】
また、電子メールを利用した従来の友達招待システムには次の欠点があった。知り合い以外の不特定多数は招待できないこと、また、一回の招待プロセスで一人しか招待できないことである。
【課題を解決するための手段】
【０００８】
本発明は、会員の出身校を証明する卒業証明書等の画像データを含む会員情報データーベースと、イベント情報を格納するイベントデータベースと、会員の予約情報を格納する予約データーベースと、これらデータベースから情報を取得し、会員の端末に情報を表示するWebサイト表示部とを具備することを特徴とする。
【０００９】
さらに、前記会員情報データーベースに会員固有のIDを格納し、非会員がWebサイト上で会員登録をする際に、既存会員の前記IDを入力すると、紹介者と登録者の双方にクーポンやお得な情報が配布される友人招待プログラムを備えることを特徴とする。
【発明の効果】
【００１０】
本発明により、利用者がインターネットを介して会員登録をする際に、卒業証明書等の出身校を証明するものを電子データ、Fax、郵便などの手段で提出させ、電子プログラム上で同窓生を一つのグループとして扱うことで、イベントを同窓生グループの単位で管理するシステムを実現する。
【００１１】
さらに、同窓生グループを単位としたイベントを企画することで、参加者の素性が分からないことに対する女性の心理的な抵抗を低減し、そのために、女性のパーティー参加率を向上させるものである。また、同窓生は学歴や育った環境が近いため、初めから参加者の属性がある程度分かるという利点がある。
【００１２】
また、友人を招待する目的で、会員が会員固有のIDをインターネットのブログ、日記、掲示板などの媒体で公開し、不特定多数の者に対して招待できる友人招待システムを有することで、会員数の増加を促進する利点がある。
【図面の簡単な説明】
【００１３】
【図１】図１は本発明の主要システムを示した説明図である。
【発明を実施するための形態】
【００１４】
図1は、本発明の実施の一形態を示す説明図である。同図において、本発明である同窓生を主体としたイベント開催システムは、端末1と、端末１が接続されるインターネット２と、インターネット２に接続するサーバマシン３と、会員の出身校を証明する卒業証明書等の画像データを含む会員情報データーベース４と、イベント情報を格納するイベントデータベース５と、会員の予約情報を格納する予約データーベース６と、これらデータベースから情報を取得し、前記端末に情報を表示するWebサイト表示部７とを有する。
【００１５】
さらに、本発明は、会員情報データーベース４に会員固有のIDを格納し、非会員がWebサイト上で会員登録をする際に、既存会員の前記IDを入力すると、紹介者と登録者の双方にクーポンやお得な情報が配布される友人招待プログラム８を有する。
【００１６】
前記同窓生を主体としたイベント開催システムにおいて、利用者は端末１からインターネットを介して、サーバマシン３のWebサイト表示部７が表示する端末画面上で会員登録を行う。その際、卒業証明書等の出身校を証明するものを電子データ、Fax、郵便などの手段で提出させる。そして、電子プログラム上で同窓生を一つのグループとして扱い、イベントを同窓生グループの単位で管理し、利用者はイベントに予約することができる。
【００１７】
また、会員は、友人を招待する目的のために、会員に固有のIDをインターネットのブログ、日記、掲示板などの媒体で公開することができ、これを見た第三者がWebサイト上で会員登録をする際に、紹介者の前記IDを入力することで、前記IDを公開した紹介者と、それを見て登録した登録者の双方にクーポンやお得な情報が配布される。
【符号の説明】
【００１８】
１  端末
２  インターネット
３  サーバマシン
４  会員情報データベース
５  イベントデータベース
６  予約データベース
７  Webサイト表示部
８  友人招待プログラム
【図１】
2011070379.tif 000003